(57)【要約】【課題】本発明は、入力端子１５から入力される不平衡信号に対し、出力端子１７，１８から出力される平衡信号の減衰を抑制することを目的とする。【解決手段】この目的を達成するために本発明のバラン１４において、第１不平衡側線路２３と第２平衡側線路２４とは略同一平面に配置され、第１不平衡側線路２１は第１平衡側線路２３の上方に第１平衡側線路２３と所定距離を保って配置され、第２不平衡側線路２２は第２平衡側線路２４の下方に第２平衡側線路２４と前記所定距離を保って配置されている。上記構成により、第１不平衡側線路２１と第２不平衡側線路２２との距離が大きくなり、第１不平衡側線路２１を流れる電流と第２不平衡線路２２を流れる電流とが互いに大きく打ち消しあうことを抑制することができる。【選択図】図１
2007201666.tif 000002
【特許請求の範囲】
【請求項１】
入力端子と、この入力端子に接続された結合線路と、この結合線路に接続された第１出力端子及び第２出力端子とを備え、
前記結合線路は、前記入力端子に接続された第１不平衡側線路と、この第１不平衡側線路に対し折り返して接続されると共に他方をアースに接続された第２不平衡側線路と、アースと前記第１出力端子との間に接続された第１平衡側線路と、
アースと前記第２出力端子との間に接続された第２平衡側線路とを有し、
前記第１平衡側線路と前記第２平衡側線路とは略同一平面に配置され、
前記第１不平衡側線路は前記第１平衡側線路の上方に前記第１平衡側線路と所定距離を保って配置され、
前記第２不平衡側線路は前記第２平衡側線路の下方に前記第２平衡側線路と前記所定距離を保って配置されたバラン。
【請求項２】
前記第１不平衡側線路の幅及び第２不平衡側線路の幅は、前記第１平衡側線路及び第２平衡側線路の幅よりも大きい請求項１に記載のバラン。
【請求項３】
アンテナと、このアンテナの出力側に接続された入力端子と、この入力端子に接続された結合線路と、この結合線路に接続された第１出力端子及び第２出力端子と、これら第１出力端子および第２出力端子の出力側に接続されたＲＦ回路と、このＲＦ回路の出力側に接続された復調部と、この復調部の出力側に接続された表示部とを備え、
前記結合線路は、前記入力端子に接続された第１不平衡側線路と、この第１不平衡側線路に対し折り返して接続されると共に他方をアースに接続された第２不平衡側線路と、アースと前記第１出力端子との間に接続された第１平衡側線路と、
アースと前記第２出力端子との間に接続された第２平衡側線路とを有し、
前記第１平衡側線路と前記第２平衡側線路とは略同一平面に配置され、
前記第１不平衡側線路は前記第１平衡側線路の上方に前記第１平衡側線路と所定距離を保って配置され、
前記第２不平衡側線路は前記第２平衡側線路の下方に前記第２平衡側線路と前記所定距離を保って配置された電子機器。
【発明の詳細な説明】
【技術分野】
【０００１】
本発明は、不平衡信号を平衡信号に変換するバランと、これを用いた携帯端末等の電子機器に関するものである。
【背景技術】
【０００２】
以下、従来のバランについて図４、図５、及び図６を用いて説明する。
【０００３】
図４において、従来のバラン１は、入力端子２と、この入力端子２に接続された結合線路３と、この結合線路３に接続された第１出力端子４及び第２出力端子５を有する。
【０００４】
さらに、入力端子２と結合線路３との間には、シャントに接地接続された第１コンデンサ６が接続されている。また、結合線路３と第１出力端子４との間の線路と、結合線路３と第２出力端子５との間の線路とは、第２コンデンサ７を介して高周波的に接続されている。
【０００５】
さらにまた、結合線路３は、入力端子２に接続された第１不平衡側線路８と、この第１不平衡側線路８とアースとの間に接続された第２不平衡側線路９とを有する。さらに、結合線路３は、アースと第１出力端子４との間に接続されると共に第１不平衡側線路８と電磁界結合する第１平衡側線路１０と、アースと第２出力端子５との間に接続されると共に第２不平衡側線路９と電磁界結合する第２平衡側線路１１とを有する。
【０００６】
次に、従来のバラン１の断面図である図５を用いて、従来のバラン１を説明する。従来のバラン１は、第１誘電体層１２と、この第１誘電体層１２の上に第２誘電体層１３を有し、第１不平衡側線路８と第２不平衡側線路９とは、第２誘電体層１３の上において同一平面に配置されている。さらに、第１平衡側線路１０と第２平衡側線路１１とは、第１誘電体層１２の上において、それぞれ第１不平衡側線路８と第２不平衡側線路９の下方に、第２誘電体層１３を介して同一平面に配置されている。また、この従来のバラン１の斜視図を図６に示す。図６に示すように、第１不平衡側線路８と第２不平衡側線路９とは折り返して接続されている。これにより、バラン１の小型化を図っている。
【０００７】
なお、この出願の発明に関連する先行技術文献の情報としては、例えば、特許文献１が知られている。
【特許文献１】特開２００２−１９０４１３号公報
【発明の開示】
【発明が解決しようとする課題】
【０００８】
第１不平衡側線路８と第２不平衡側線路９とが折り返して接続されているので、第１不平衡側線路８と第２不平衡側線路９とが近接してしまう。その結果、第１不平衡側線路８を伝播する高周波信号の電流及び第２不平衡側線路９を伝播する高周波信号の電流が互いに打ち消しあい、従来のバラン１の入力端子２から入力される不平衡信号に対し、バラン１の第１出力端子４および第２出力端子５から得られる平衡信号が減衰するという問題があった。
【０００９】
そこで本発明は、このような問題を解決したもので、第１不平衡側線路と第２不平衡側線路とが折り返して接続されている場合、入力端子から入力される不平衡信号に対し、出力端子から出力される平衡信号の減衰を抑制することを目的とする。
【課題を解決するための手段】
【００１０】
この目的を達成するために本発明のバランは、入力端子と、この入力端子に接続された結合線路と、この結合線路に接続された第１出力端子及び第２出力端子とを備える。そして、上記結合線路は、入力端子に接続された第１不平衡側線路と、この第１不平衡側線路に対し折り返して接続されると共に他方をアースに接続された第２不平衡側線路と、アースと第１出力端子との間に接続された第１平衡側線路と、アースと第２出力端子との間に接続された第２平衡側線路とを有する。また、第１平衡側線路と第２平衡側線路とは略同一平面に配置され、第１不平衡側線路は第１平衡側線路の上方に第１平衡側線路と所定距離を保って配置され、第２不平衡側線路は第２平衡側線路の下方に第２平衡側線路と前記所定距離を保って配置されている。
【発明の効果】
【００１１】
上記構成により、第１不平衡側線路と第２不平衡側線路との距離が大きくなり、第１不平衡側線路を流れる電流と第２不平衡側線路を流れる電流とが互いに大きく打ち消しあうことを抑制することができる。その結果、第１不平衡側線路と第２不平衡側線路とが折り返して接続されている場合、入力端子から入力される不平衡信号に対し、出力端子から出力される平衡信号の減衰を抑制することができる。
【発明を実施するための最良の形態】
【００１２】
（実施の形態１）
以下、本発明における実施の形態１について図１、図２、及び図３を用いて説明する。本発明におけるバラン１４は、入力端子１５と、この入力端子１５に接続された結合線路１６と、この結合線路１６の出力側に接続された第１出力端子１７及び第２出力端子１８を有する。なお、このバラン１４を用いた電子機器（図示せず）は、第１出力端子１７および第２出力端子１８の出力側に接続されたＲＦ回路（図示せず）と、このＲＦ回路の出力側に接続された復調部（図示せず）と、この復調部の出力側に接続された表示部（図示せず）とを有する。
【００１３】
さらに、入力端子１５と結合線路１６との間にシャントに接地接続された第１コンデンサ１９が接続されている。また、結合線路１６と第１出力端子１７との間の線路と、結合線路１６と第２出力端子１８との間の線路とは、第２コンデンサ２０を介して高周波的に接続されている。
【００１４】
さらにまた、結合線路１６は、入力端子１５に接続された第１不平衡側線路２１と、この第１不平衡側線路２１とアースとの間に接続された第２不平衡側線路２２とを有する。さらに、結合線路１６は、アースと第１出力端子１７との間に接続されると共に第１不平衡側線路２１と電磁界結合する第１平衡側線路２３と、アースと第２出力端子１８との間に接続されると共に第２不平衡側線路２２と電磁界結合する第２平衡側線路２４とを有する。
【００１５】
これら第１不平衡側線路２１、第２不平衡側線路２２、第１平衡側線路２３、及び第２平衡側線路２４は、それぞれ入出力信号の略１／４波長の奇数倍の長さであり、通常、小型化のため、入出力信号の略１／４波長の長さである。
【００１６】
上記構成において、バラン１４は、入力端子１５から入力された不平衡信号を、互いに逆相であり、振幅が等しい平衡信号に変換し、この平衡信号を第１出力端子１７と第２出力端子１８とから出力する。
【００１７】
次に、本発明のバラン１４の断面図である図２を用いて、バラン１４を説明する。バラン１４は、第１誘電体層２５と、この第１誘電体層２５の上に第２誘電体層２６と、この第２誘電体層２６の上に第３誘電体層２７とを有する。そして、第１平衡側線路２３と第２平衡側線路２４とは、第２誘電体層２６の上において同一平面に配置されている。これにより、例えば、第１平衡側線路２３とシールドパターン（図示せず）との距離と第２平衡側線路２４とシールドパターンとの距離が略等しくなるので、第１平衡側線路２３から出力される信号の振幅と第２平衡側線路２４から出力される信号の振幅との均一性を向上させることができる。さらに、第１不平衡側線路２１は、第３誘電体層２７の上であって第１平衡側線路２３の上方に第１平衡側線路２３と所定距離ｄを保って配置されている。さらにまた、第２不平衡側線路２２は、第１誘電体層２５の上であって第２平衡側線路２４の下方に第２平衡側線路２４と上記所定距離ｄを保って配置されている。
【００１８】
また、このバラン１４の斜視図を図３に示す。図３に示すように、第１不平衡側線路２１と第２不平衡側線路２２とは折り返して接続されている。これにより、バラン１４の小型化を図っている。
【００１９】
上記構成により、第１不平衡側線路２１と第２不平衡側線路２２との距離が大きくなり、第１不平衡側線路２１を流れる電流と第２不平衡側線路２２を流れる電流とが互いに大きく打ち消しあうことを抑制することができる。その結果、第１不平衡側線路２１と第２不平衡側線路２２とが折り返して接続されている場合、入力端子１５から入力される不平衡信号に対し、出力端子１７，１８から出力される平衡信号の減衰を抑制することができる。
【００２０】
なお、第１不平衡側線路２１および第２不平衡側線路２２の幅は、第１平衡側線路２３および第２平衡側線路２４の幅よりも大きいことが望ましい。これにより、バラン１４の入力インピーダンスを、バラン１４の出力インピーダンスよりも小さくすることができる。その結果、バラン１４と、バラン１４の出力側に接続されるＲＦ回路とのインピーダンス整合を取り易くすることができる。
【産業上の利用可能性】
【００２１】
本発明のバランは、第１不平衡側線路２１と第２不平衡側線路２２とが折り返して接続されている場合、入力端子１５から入力される不平衡信号に対し、出力端子１７，１８から出力される平衡信号の減衰を抑制することができ、携帯端末や放送受信機などの電子機器に利用することができる。
【図面の簡単な説明】
【００２２】
【図１】本発明の実施の形態におけるバランの回路図
【図２】本発明の実施の形態におけるバランの断面図
【図３】本発明の実施の形態におけるバランの結合線路の斜視図
【図４】従来のバランの回路図
【図５】従来のバランの断面図
【図６】従来のバランの結合線路の斜視図
【符号の説明】
【００２３】
１４  バラン
１５  入力端子
１６  結合線路
１７  第１出力端子
１８  第２出力端子
２１  第１不平衡側線路
２２  第２不平衡側線路
２３  第１平衡側線路
２４  第２平衡側線路
【図１】
2007201666.tif 000003
【図２】
2007201666.tif 000004
【図３】
2007201666.tif 000005
【図４】
2007201666.tif 000006
【図５】
2007201666.tif 000007
【図６】
2007201666.tif 000008